(57)【要約】      （修正有）【課題】目地部が急激に狭くなるような地震の揺れ動きが生じ一対の天井目地プレートが突き当たると、自動的に突き当たった先端部が下方へ回動して一対の天井目地プレートの損傷を効率よく阻止することができ、揺れ動きが停止すると自動的に元の状態へ戻る天井用目地装置を提供する。【解決手段】目地部２を介して設けられた左右の建物３の目地部２側の天井部分の壁面４に固定された先端部の可動部材が、該壁面より離れた下方に位置する一対のヒンジ部材６と、先端部が前記目地部２のほぼ中央部に同一面となるように位置する一対の天井目地プレート７と、一対の天井目地プレートの先端部が常時上方へ位置するように付勢する付勢スプリング１３と、一対の天井目地プレートの先端部が、天井目地プレート７が水平状態より上方へ回動するのを阻止する一対のストッパー片１４とで天井用目地装置１を構成している。【選択図】図３
2011202428.tif 000002
【特許請求の範囲】
【請求項１】
目地部を介して設けられた左右の建物の目地部側の天井部分の壁面に固定された先端部の可動部材が、該壁面より離れた下方に位置する一対のヒンジ部材と、この一対のヒンジ部材の可動部材に後端部が取付けられた先端部が前記目地部のほぼ中央部に同一面となるように位置する一対の天井目地プレートと、この一対の天井目地プレートの先端部が常時上方へ位置するように付勢する一端部が該一対の天井目地プレートの先端部寄りの部位に取付けられ、他端が前記天井部分の壁面に取付けられた付勢スプリングと、前記一対の天井目地プレートの先端部が、該一対の天井目地プレートが水平状態より上方へ回動するのを阻止する一対のストッパー片とからなることを特徴とする天井用目地装置。
【請求項２】
一対の天井目地プレートの上部には、該一対の天井目地プレートの先端部間の隙間を覆うことができるように、該一対の天井目地プレートの先端部の上部に位置するカバー部材と、このカバー部材を吊り下げ状態で支持する複数個の吊り下げ部材と、この複数個の吊り下げ部材を中央部に枢支し、かつ両端部が左右の建物の目地部側の天井部分の壁面に取付けられた複数個の伸縮リンクとからなる中央維持カバー装置が設けられていることを特徴とする請求項１記載の天井用目地装置。
【発明の詳細な説明】
【技術分野】
【０００１】
本発明は目地部を介して設けられた左右の建物の目地部の天井部分を覆う天井用目地装置に関する。
【背景技術】
【０００２】
従来、左右の建物の目地部の天井部分に天井用目地装置を設置するには、左右の建物の壁面によって、目地部が狭くなるような揺れ動きによって目地部を覆っている天井目地プレートが損傷するのを防止するため、リンク機構を用いて目地部が狭くなると天井目地プレートを上方あるいは下方へ回動する天井目地プレート回動機構を用いている。
【０００３】
しかしながら、このリンク機構を用いた天井目地プレート回動機構は、急激な地震の揺れ動きに十分に追従して動作しないため、天井目地プレートが損傷してしまうということが生じてしまうという欠点があった。
【先行技術文献】
【特許文献】
【０００４】
【特許文献１】特許第３６０４６４７号
【発明の概要】
【発明が解決しようとする課題】
【０００５】
本発明は以上のような従来の欠点に鑑み、目地部が急激に狭くなるような地震の揺れ動きが生じ一対の天井目地プレートが突き当たると、自動的に突き当たった先端部が下方へ回動して一対の天井目地プレートの損傷を効率よく阻止することができ、揺れ動きが停止すると自動的に元の状態へ戻り、かつ通常時には天井目地部を覆うことができる天井用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた左右の建物の目地部側の天井部分の壁面に固定された先端部の可動部材が、該壁面より離れた下方に位置する一対のヒンジ部材と、この一対のヒンジ部材の可動部材に後端部が取付けられた先端部が前記目地部のほぼ中央部に同一面となるように位置する一対の天井目地プレートと、この一対の天井目地プレートの先端部が常時上方へ位置するように付勢する一端部が該一対の天井目地プレートの先端部寄りの部位に取付けられ、他端が前記天井部分の壁面に取付けられた付勢スプリングと、前記一対の天井目地プレートの先端部が、該一対の天井目地プレートが水平状態より上方へ回動するのを阻止する一対のストッパー片とで天井用目地装置を構成している。
【発明の効果】
【０００９】
以上の説明から明らかなように、本発明にあっては次に列挙する効果が得られる。
（１）請求項１によって、地震の揺れ動きで目地部が狭くなると、当接する一対の天井目地プレートの先端部位置より、該一対の天井目地プレートを壁面に取付けている一対のヒンジ部材の枢支部が上部に位置しているので、一対の天井目地プレートの先端部が衝突状態になると、自動的に付勢スプリングの付勢力に抗して一対の天井目地プレートの先端部を下方へ回動して、一対の天井目地プレートの損傷を効率よく阻止することができる。  
（２）前記（１）によって、付勢スプリングと一対のストッパー片によって一対の天井目地プレートをほぼ水平状態にできるので、目地部が地震の揺れ動きで広くなっても、その水平状態で移動し、揺れ動きが停止すると自動的の元の状態に戻すことができる。
（３）前記（１） によって、複数個の中央維持リンク機構で、常時目地部の中央部に位置されるバー部材によって、一対の天井目地プレートの先端部間の隙間を覆うことができるとともに、一対の天井目地プレートの水平状態よりも、先端部が上方へ回動するのを阻止することができる。
【００１０】
したがって、バー部材によって美観の向上を図ることができるとともに、一対の天井目地プレートの損傷するような動きを阻止することができる。
【図面の簡単な説明】
【００１１】
【図１】本発明を実施するための第１の形態の底面図。
【図２】本発明を実施するための第１の形態の平面図。
【図３】図２の３−３線に沿う断面図。
【図４】本発明を実施するための第１の形態のヒンジ部材の説明図。
【図５】本発明を実施するための第１の形態の目地部が狭くなった場合の動作説明図。
【図６】本発明を実施するための第１の形態の一対の天井目地プレートの回動状態の説明図。
【図７】本発明を実施するための第１の形態の目地部が広くなった動作説明図。
【図８】本発明を実施するための第１の形態の
【図９】本発明を実施するための第２の形態の底面図。
【図１０】本発明を実施するための第２の形態の平面図。
【図１１】図１０の１１−１１線に沿う断面図。
【図１２】本発明を実施するための第３の形態の底面図。
【図１３】本発明を実施するための第３の形態の平面図。
【図１４】図１３の１４−１４線に沿う断面図。
【発明を実施するための形態】
【００１２】
以下、図面に示す本発明を実施するための形態により、本発明を詳細に説明する。
【００１３】
図１ないし図８に示す本発明を実施するための第１の形態において、１は目地部２を介して設けられた左右の建物３、３の目地部側の天井部分の壁面４、４に取付けられた本発明の天井用目地装置で、この天井用目地装置１は前記天井部分の壁面４、４にタッピングビス５、５で固定部材６ａ、６ａが固定された先端部の可動部材６ｂ、６ｂが、該天井部分の壁面４、４より離れた下方に位置する一対のヒンジ部材６、６と、この一対のヒンジ部材６、６の可動部材６ｂ、６ｂに後端部が取付けられた先端部が前記目地部２のほぼ中央部に同一面となるように位置する一対の天井目地プレート７、７と、この一対の天井目地プレート７、７がほぼ水平状態の先端部の上部に位置し、先端部が水平状態より上方へ回動するのを阻止し、かつ隙間８を覆うカバー部材９、このカバー部材９を吊り下げ状態で支持する複数個の吊り下げ部材１０、１０が中央部に取付けられた、常時目地部の中央部に位置させる両端部が前記天井部分の壁面４、４にヒンジ部材２７，２７で水平方向に回動可能に取付けられた複数個のパンタグラフ形状の伸縮リンク１１、１１とからなる中央維持カバー装置１２と、前記一対の天井目地プレート７、７の先端部が常時上方へ位置するように付勢する一端部が該一対の天井目地プレート７、７の先端部寄りの上面に取付けられ、他端が前記天井部分の壁面４、４に取付けられた付勢スプリング１３、１３と、前記一対の天井目地プレート７、７の先端部が、該一対の天井目地プレート７、７が水平状態よりも上方へ回動するのを阻止する、該一対の天井目地プレート７、７の後端部上面に取付けられた、前記一対のヒンジ部材６、６の固定部材６ａ、６ａと当接するストッパー片１４、１４とで構成されている。
【００１４】
前記一対のヒンジ部材６、６はクランク状で天井部分の壁面４、４にタッピングビス５、５で固定される固定部材６ａ、６ａと、この固定部材６ａ、６ａの下端部に枢支ピン１５、１５を介して回動可能に取付けられたアングル状の可動部材６ｂ、６ｂとで構成されている。
【００１５】
前記一対の天井目地プレート７、７は一方の天井目地プレート７の先端部が山形状の突片１６に形成され、他方の天井目地プレート７の先端部は一方の天井目地プレート７の先端部とわずかな隙間８を介してＶ字状の凹部１７に形成され、かつ前記目地部２が地震で狭くなると、先端部が下方へ回動できるように後端部が天井部分の壁面４、４に当接しないように前記一対のヒンジ部材６、６の可動部材６ｂ、６ｂに複数本のビス１８、１８等で固定されている。
【００１６】
前記ストッパー片１４、１４はＬ字状に形成された下端部が天井目地プレート７、７の後端部の上面に複数本のビス１９、１９で固定される固定片２０、上部が前記ヒンジ部材６、６の固定部材６ａ、６ａに当接する当接片２１とからなるストッパー片本体２２と、このストッパー片本体２２、２２の当接片２１、２１に形成されたヒンジ部材６、６の枢支ピン１５、１５部分との当接を避けるための凹部２３、２３とで構成されている。
【００１７】
上記構成の天井用目地装置１は、通常時には一対の天井目地プレート７、７が図３に示すように付勢スプリング１３、１３とストッパー片１４、１４によって水平状態に位置して目地部２を覆うとともに、一対の天井目地プレート７、７の先端部間の隙間８は中央維持カバー装置１２のカバー部材９で覆って、見苦しくなるのを防止している。
【００１８】
地震によって左右の建物３、３が揺れ動き、目地部２が狭くなると、図５に示すように一対の天井目地プレート７、７の先端部が当接して、該一対の天井目地プレート７、７の後方へ押し圧する力が働く。この力により、図６に示すように一対の天井目地プレート７、７を壁面４、４に取付けている一対のヒンジ部材６、６の枢支ピン１５、１５部位が一対の天井目地プレート７、７の上部位置にあるため、スムーズに回動して、一対の天井目地プレート７、７を損傷させることなく先端部を付勢スプリング１３、１３の付勢力に抗して下方へ回動して、その揺れ動きを吸収する。
【００１９】
揺れ動きが停止すると、ストッパー片１４、１４および付勢スプリング１３、１３の付勢力によって、自動的に元の状態に戻る。
【００２０】
地震により、目地部２が広くなるように左右の建物３、３が揺れ動いた場合には、図７に示すように、ストッパー片１４、１４と付勢スプリング１３、１３の付勢力によって、一対の天井目地プレート７、７がほぼ水平状態を保って、左右の建物３、３の壁面４、４と一体になって移動し、その揺れ動きを吸収するとともに、停止すると前述と同様に元の状態へ自動的に戻る。
【００２１】
地震により、左右の建物３、３が異なる前後方向に揺れ動いた場合には、図８に示すように、一対の天井目地プレート７、７が前後方向に移動するとともに、中央維持カバー装置１２が両側のヒンジ部材２７，２７部分で回動して、その揺れ動きを吸収するとともに、停止すると前述と同様に元の状態へ自動的に戻る。
【００２２】
[発明を実施するための異なる形態]
次に、図９ないし図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２３】
図９ないし図１１に示す本発明を実施するための第２の形態において、前記本発明を実施するための第１の形態と主に異なる点は、一対の天井目地プレート７、７の後端部の下部位置の壁面４、４に、該一対の天井目地プレート７、７と壁面４、４との間に生ずる隙間２４、２４を覆うカバー２５、２５を設けた点で、このようにカバー２５、２５を設けた天井用目地装置１Ａにしても、前記本発明を実施するための第１の形態と同様な作用効果が得られる。
【００２４】
図１２ないし図１４に示す本発明を実施するための第３の形態において、前記本発明を実施するための第１の形態と主に異なる点は、目地部２の幅寸法の４分の１、あるいは３分の１の寸法幅のカバー部材９Ａを用いた中央維持カバー装置１２Ａを用いるとともに、一対の天井目地カバー７Ａ、７Ａの先端部を半円弧状で、かつ目地部が狭くなって当接すると噛み合う歯車状の凹凸部２６、２６を形成した点で、このような中央維持カバー装置１２Ａおよび一対の天井目地カバー７Ａ、Ａを用いて構成した天井用目地装置１Ｂにしても、前記本発明を実施するための第１の形態と同様な作用効果が得られるとともに、地震で目地部が狭くなった場合、一対の天井目地カバー７Ａ、７Ａの先端部の凹凸部２６、２６が噛み合って、一対の天井目地カバー７Ａ、７Ａの当接状態が外れるのを効率よく阻止することができる。
【産業上の利用可能性】
【００２５】
本発明は建物間の天井部分の目地部を覆う天井用目地装置を製造する産業で利用される。
【符号の説明】
【００２６】
１、１Ａ、１Ｂ：天井用目地装置、
２：目地部、        ３：建物、
４：天井部分の壁面、    ５：タッピングビス、  
６ａ：固定部材、      ６ｂ：可動部材、
６：ヒンジ部材、      ７、７Ａ：天井目地プレート、
８：隙間、        ９、９Ａ：カバー部材、
１０：吊り下げ部材、    １１：伸縮リンク、
１２、１２Ａ：中央維持カバー装置、
１３：付勢スプリング、    １４：ストッパー片、
１５：枢支ピン、      １６：突片、
１７：Ｖ字状の凹部、    １８：ビス、
１９：ビス、        ２０：固定片、
２１：当接片、      ２２：ストッパー片本体、
２３：凹部、        ２４：隙間、
２５：カバー、      ２６：凹凸部、
２７：ヒンジ部材。
【図１】
2011202428.tif 000003
【図２】
2011202428.tif 000004
【図３】
2011202428.tif 000005
【図４】
2011202428.tif 000006
【図５】
2011202428.tif 000007
【図６】
2011202428.tif 000008
【図７】
2011202428.tif 000009
【図８】
2011202428.tif 000010
【図９】
2011202428.tif 000011
【図１０】
2011202428.tif 000012
【図１１】
2011202428.tif 000013
【図１２】
2011202428.tif 000014
【図１３】
2011202428.tif 000015
【図１４】
2011202428.tif 000016